(57)【特許請求の範囲】
【請求項１】
接続部材が水平方向に並設された垂直パネルと、光ファイバ心線を載置し略水平に案内する棒状の中央部と該中央部の両端から延在する自由端部とからなる略Ｕ字状の支持ガイドと、前記垂直パネルに取着された水平筒部材とを有するとともに、前記支持ガイドの自由端部を前記水平筒部材に挿通し、前記水平筒部材からの前記支持ガイドの自由端部の出し入れ量を調節することにより、前記垂直パネルからの前記支持ガイドの中央部の距離を調節自在に構成し、更に、前記接続部材から出て、前記支持ガイドの中央部により略水平に案内された光ファイバ心線が、トレイに載置されるように構成されていることを特徴とする光配線装置。
【発明の詳細な説明】
【０００１】
【発明の属する技術分野】
本発明は、光ファイバケーブルや光ファイバコード等を配線するための光配線装置に関するものである。
【０００２】
【従来の技術】
従来、光ファイバ心線同士を、任意に、分岐接続するためのコネクタやスリーブ等の接続部材に接続された光ファイバ心線を、トレイに載置するとともに、必要に応じて、余長部を形成するようにした光配線装置が知られている。
【０００３】
【発明が解決しようとする課題】
接続部材に接続された光ファイバ心線を、トレイに載置する際に、接続部材とトレイとの間に高低差があるために、接続部材から出た光ファイバ心線が、自重等で、接続部材に対して略垂直に垂れ下がることになり、このために、光ファイバ心線が、接続部材付近で光ファイバ心線の所定曲げ半径を確保できなかったり、また、光ファイバ心線が、切断する等の損傷を受けるという問題があった。
【０００４】
また、光ファイバ心線の自重等による垂れ下がりに起因する光ファイバ心線の損傷を防止するために、多数のスリットが形成された弾性体を配設し、該スリットに光ファイバ心線を挿入して、光ファイバ心線を適当な位置で把持するようにした光配線装置も知られているが（例えば、特開平８−２５４６２０号公報）、光ファイバ心線の配線替え作業の際には、いちいち、弾性体に形成されたスリットに光ファイバ心線を挿入したり、スリットから光ファイバ心線を取り外さなければならず、従って、光ファイバ心線の配線替え作業等の作業性が悪くなる等の問題があった。更に、光ファイバ心線を、弾性体のスリットに挿入するものであるために、隣接する光ファイバ心線間に弾性体が介在することになり、従って、光ファイバ心線の配線密度を上げることができないという問題があった。
【０００５】
本発明の目的は、上述した従来の光配線装置が有する課題を解決するとともに、構造が簡素化された、コンパクトな光配線装置を提供することにある。
【０００６】
【課題を解決するための手段】
本発明は、上述した目的を達成するために、接続部材が水平方向に並設された垂直パネルと、光ファイバ心線を載置し略水平に案内する棒状の中央部と該中央部の両端から延在する自由端部とからなる略Ｕ字状の支持ガイドと、前記垂直パネルに取着された水平筒部材とを有するとともに、前記支持ガイドの自由端部を前記水平筒部材に挿通し、前記水平筒部材からの前記支持ガイドの自由端部の出し入れ量を調節することにより、前記垂直パネルからの前記支持ガイドの中央部の距離を調節自在とし、更に、前記接続部材から出て、前記支持ガイドの中央部により略水平に案内された光ファイバ心線を、トレイに載置するようにしたものである。
【０００７】
【実施例】
以下に、本発明の光配線装置の正面図である図１、本発明の光配線装置の一部断面を含む側面図である図２、本発明の光配線装置を構成する光配線ユニットの斜視図である図３、本発明の光配線装置を構成する光配線ユニットの一部拡大斜視図である図４及び図３と同様の本発明の光配線装置を構成する光配線ユニットの斜視図である図５を用いて、本発明の実施例について説明するが、本発明の趣旨を越えない限り何ら、本実施例に限定されるものではない。
【０００８】
１は、上板１ａ、下板１ｂ及び相対する側板１ｃから構成された凾体であり、凾体１の内側に位置する側板１ｃの略中央部には、垂直状の取付パネル２が、所定の間隔を置いて取着されている。３は、垂直パネルであり、垂直パネル３の相対する垂直縁には、上下方向に、所定の間隔を置いて、水平スリット４が形成されており、該水平スリット４にボルト５を挿入するとともに、該ボルト５を、取付パネル２に穿設されたネジ孔に螺合することにより、垂直パネル３を、取付パネル２に取り付けるように構成されている。６は、適当な取り付け金具７等を介して、垂直パネル３に取り付けられたトレイである。該トレイ６は、図２や図３等に示されているように、垂直パネル３の両側に配設することも、また、垂直パネル３の片側のみに配設することもできる。
【０００９】
８は、垂直パネル３に、多数、並設されたコネクタやスリーブ等の接続部材である。９は、トレイ６の両端部に取着された、所定の曲率半径を有するアール状ガイドであり、１０は、アール状ガイド９に対してトレイ６の内側に配設されたた、２枚の板材等により光ファイバコード等を挟持するコードクランプである。１１は、トレイ６の垂直パネル３と平行な縁部付近に、所定の間隔で取着されたリング１１ａからなる配線ダクトであり、リング１１ａは、その上辺において、一部が切り離されている。なお、本実施例においては、垂直パネル３に、接続部材８が、上下２列に配設された例が示されているが、一列でも、或いは、３列以上、配設することもできる。
【００１０】
１２は、トレイ６に取着された、光ファイバ心線が巻回され案内されるガイド部材であり、柱状体１２ａと柱状体１２ａの上面に取着された鍔部１２ｂとから構成されている。このようなガイド部材１２は、トレイ６に、適当数、配設されている。本実施例においては、トレイ６の中央部に２個のガイド部材１２が配設されており、そして、コードクランプ１０付近に、それぞれ、２個ずつのガイド部材１２が配設されており、合計６個のガイド部材１２が配設されている。
【００１１】
１３は、光ファイバ心線が載置され案内される棒状の中央部１３ａ及び中央部１３ａの両端から、中央部１３ａに対して略垂直に延在する、棒状或いは板状の自由端部１３ｂとからなる略Ｕ字状に形成された、光ファイバ心線の支持ガイドである。垂直パネル３の両端部付近には、垂直パネル３を貫通するように、透孔１４ａを有する水平筒部材１４が取着されている。水平筒部材１４の透孔１４ａに、支持ガイド１３の自由端部１３ｂを挿通とともに、水平筒部材１４の胴部に形成されたネジ孔１４ｂに、締め付けボルト１５を螺合することにより、締め付けボルト１５により、水平筒部材１４の透孔１４ａに挿通された支持ガイド１３の自由端部１３ｂを締め付けて、水平筒部材１４に、支持ガイド１３を取り付けることができるように構成されている。なお、支持ガイド１３は、ワイヤー等の棒材を、略Ｕ字状に屈曲させて、一体に形成することが好ましい。
【００１２】
締め付けボルト１５を緩めて、水平筒部材１４からの支持ガイド１３の自由端部１３ｂの出し入れ量を調節することにより、垂直パネル３からの支持ガイド１３の中央部１３ａの距離を調整することができるように構成されている。このような支持ガイド１３は、垂直パネル３に１本或いは２本以上、配設することができる。本実施例においては、垂直パネル３に、上下２列に配設された接続部材８に対応して、上下方向に２本の支持ガイド１３が配設された例が示されている。上記の支持ガイド１３は、垂直パネル３に並設された接続部材８と略同じ高さに取り付けられている。
【００１３】
本発明の光配線装置においては、接続部材８や支持ガイド１３が配設された垂直パネル３及びアール状ガイド９、コードクランプ１０、ガイド部材１２等が配設されたトレイ６から構成される光配線ユニットＵが、凾体１内に、多段に配設されている。なお、本実施例には、支持ガイド１３が、垂直パネル３の一方の側面に配設された例が示されているが、支持ガイド１３は、垂直パネル３の両側面に配設することもできる。なお、１８は、必要に応じて、配線ダクト１１に隣接して、トレイ６の先端部に取着されたカバーである。
【００１４】
次に、上述した構成を有する光配線装置における光ファイバケーブルや光ファイバ心線等の配線手段について説明する。
【００１５】
凾体１の側板１ｃ等に、適当なクランプ１６で取着された光ファイバケーブル１７のダム部１７ａから引き出された光ファイバコード１７ｂは、一例として図５に示されているように、アール状ガイド９により緩やかに屈曲された後に、コードクランプ１０により把持される。次いで、光ファイバコード１７ｂから取り出された光ファイバ心線１７ｃ’は、垂直パネル３を挟んで両側に配設された一対のトレイ６の一方のトレイ６’上に載置され、必要に応じて、適当な長さの余長部が形成されるとともに、光ファイバ心線１７ｃ’の端部を、垂直パネル３に取着された接続部材８に接続する。また、該光ファイバ心線１７ｃ’に連結される光ファイバ心線１７ｃ”を、もう一方のトレイ６”側に位置する接続部材８に接続するとともに、該接続部材８に接続された光ファイバ心線１７ｃ”は、支持ガイド１３の中央部１３ａに掛けられる。
【００１６】
上述したように、支持ガイド１３の中央部１３ａに掛けられた光ファイバ心線１７ｃ”は、トレイ６”に取着されたガイド部材１２に巻回されて、適当な長さの余長部を形成した後、コードクランプ１０により把持され、アール状ガイド９に案内されて、トレイ６より導出入配線される。また、トレイ６”上で、適当な長さの余長部が形成された光ファイバ心線１７ｃ”は、配線ダクト１１に挿通された後、トレイ６から導出入され、隣接する光配線装置間等に配設されたトレイに配線される。
【００１７】
本発明の光配線装置においては、垂直パネル３に取着された接続部材８に接続された光ファイバ心線１７ｃ”が、垂直パネル３に、接続部材８と略同じ高さに取着された支持ガイド１３の中央部１３ａに掛けられているので、接続部材８から出た光ファイバ心線１７ｃ”が、自重等で、接続部材８の端部で、略垂直に垂れ下がるようなことがなく、略水平に案内され、その後、トレイ６上に載置されるように構成されているので、接続部材８の端部において、光ファイバ心線１７ｃが損傷を受けるようなことが防止できるとともに、光ファイバ心線の所定曲げ半径も確保でき、光伝送損失の保償もできる。
【００１８】
そして、支持ガイド１３、特に、その中央部１３ａを、細径の棒状に形成したので、トレイ６の上部空間が開放状態となり、従って、トレイ６に配設されたガイド部材１２への光ファイバ心線１７ｃ”の余長部の巻回作業を、目視しながら行うことができ、容易に、迅速に、且つ、正確な巻回を行うことができる。従って、余長部の巻回作業の作業性が向上するとともに、巻回による光伝送損失を防止することができる。また、支持ガイド１３を、垂直パネル３に、複数本、配設した場合でも、支持ガイド１３が細径の棒状に形成されているので、一方の支持ガイド１３が、他方の支持ガイド１３の視野を邪魔するようなこともなく、余長部の巻回作業の妨害になるようなことがない。
【００１９】
また、従来の光配線装置のように、弾性体に形成されたスリットに光ファイバ心線を挿入することなく、単に、光ファイバ心線１７ｃ”を、垂直パネル３に取着された支持ガイド１３に掛けるだけであるので、光ファイバ心線１７ｃ”の配線替え等の作業性が向上するとともに、光ファイバ心線１７ｃ”の配線密度の向上が図られる。
【００２０】
更に、光ファイバ心線１７ｃ”の太さ等に応じて、締め付けボルト１５を緩めて、水平筒部材１４からの支持ガイド１３の自由端部１３ｂの出し入れ量を調節することにより、垂直パネル３からの支持ガイド１３の中央部１３ａの距離を調整することができる。
【００２１】
更にまた、接続部材８が、上下方向に、複数列配設されている場合には、上下方向に配設された接続部材８に対応して配設された支持ガイド１３の中央部１３ａの垂直パネル３からの距離を、それぞれ変えることにより、光ファイバ心線１７ｃ”が交差することなく、従って、光ファイバ心線１７ｃ”の配線替えの作業性が更に向上する。
【００２２】
通常、光ファイバ心線の配線替えは、凾体１の前面に配設されたトレイ６”、即ち、図３及び図５において、右側に位置するトレイ６”に載置された光ファイバ心線１７ｃ”に対して行われることが多いので、従って、本実施例においては、垂直パネル３に対して右側に配置されたトレイ６”にのみに、ガイド部材１２や支持ガイド１３が配設されているが、右側に位置するトレイ６’にも、ガイド部材１２や支持ガイド１３を配設することができる。
【００２３】
【発明の効果】
本発明は、以上説明した構成を有しているので、以下に記載する効果を奏するものである。
【００２４】
接続部材に接続された光ファイバ心線を、略水平に案内する支持ガイドを配設したので、接続部材の端部において、光ファイバ心線が損傷を受けるようなことが防止できるとともに、光ファイバ心線の所定曲げ半径も確保でき、光伝送損失の保償もできる。また、光ファイバ心線を、支持ガイドに掛けるだけであるので、光ファイバ心線の配線替え等の作業性が向上するとともに、光ファイバ心線の配線密度の向上が図られる。
【００２５】
支持ガイドを棒状に形成したので、トレイの上部空間が開放状態となり、従って、トレイに配設されたガイド部材への光ファイバ心線の余長部の巻回作業を、目視しながら行うことができ、容易に、迅速に、且つ、正確な巻回を行うことができる。従って、余長部の巻回作業の作業性が向上するとともに、巻回による光伝送損失を防止することができる。
【００２６】
垂直パネルとトレイからなる光配線ユニットを有するとともに、垂直パネルに、接続部材と支持ガイドを配設したので、光配線装置の構造が簡素化され、しかも、コンパクトになる。
【００２７】
垂直パネルからの支持ガイドの中央部の距離を、調節自在としたので、種々の太さを有する光ファイバ心線に適用することができる。また、接続部材が、上下方向に、複数列配設されている場合には、上下方向に配設された接続部材に対応して配設された支持ガイドの中央部の垂直パネルからの距離を、それぞれ変えることにより、光ファイバ心線が交差することなく、従って、光ファイバ心線の配線替えの作業性が更に向上する。
【図面の簡単な説明】
【図１】図１は本発明の光配線装置の正面図である。
【図２】図２は本発明の光配線装置の一部断面を含む側面図である。
【図３】図３は本発明の光配線装置を構成する光配線ユニットの斜視図である。
【図４】図４は本発明の光配線装置を構成する光配線ユニットの一部拡大斜視図である。
【図５】図５は図３と同様の本発明の光配線装置を構成する光配線ユニットの斜視図である。
【符号の説明】
Ｕ・・・・・・・・光配線ユニット
１・・・・・・・・凾体
３・・・・・・・・垂直パネル
６・・・・・・・・トレイ
８・・・・・・・・接続部材
１３・・・・・・・支持ガイド
１７ｃ”・・・・・光ファイバ心線
【図１】
0003621553.tif 000002
【図２】
0003621553.tif 000003
【図３】
0003621553.tif 000004
【図４】
0003621553.tif 000005
【図５】
0003621553.tif 000006